(57)【要約】【課題】カート等の搬送体を容易かつ確実に除菌可能な搬送体清浄システムを提供する。【解決手段】取っ手４を備えた搬送体２の搬送エリアに搬送体清浄ユニット５０を設置し、この搬送体清浄ユニット５０の装置本体５１に、水を電気分解して活性酸素種を含む電解水を生成する電解部と、その電解水をミスト状にして電解水ミストを生成するミスト生成部と、搬送エリアに搬送された搬送体２に対し、電解水ミストを少なくとも搬送体２の取っ手４に向けて吹き出す吹出部とを設けた。【選択図】図１
2008212786.tif 000002
【特許請求の範囲】
【請求項１】
取っ手を備えた搬送体の搬送エリアに装置本体を設置し、
この装置本体に、水を電気分解して活性酸素種を含む電解水を生成する電解部と、前記電解水をミスト状にして電解水ミストを生成するミスト生成部と、前記搬送エリアに搬送された搬送体に対し、前記電解水ミストを少なくとも取っ手に向けて吹き出す吹出部とを設けたことを特徴とする搬送体清浄システム。
【請求項２】
請求項１に記載の搬送体清浄システムにおいて、
前記装置本体を、前記搬送体を通過可能なゲート型に構成し、当該ゲートを通過する前記搬送体に向けて前記電解水ミストを吹き出すことを特徴とする搬送体清浄システム。
【請求項３】
請求項２に記載の搬送体清浄システムにおいて、
前記装置本体は、前記ゲートを通過する搬送体の上部に位置する屋根部を備え、この屋根部の底面に、前記電解水ミストの吹出口を有することを特徴とする搬送体清浄システム。
【請求項４】
請求項２又は３に記載の搬送体清浄システムにおいて、
前記ゲートの入口から出口に向けて前記搬送体を搬送する自動搬送装置を設けたことを特徴とする搬送体清浄システム。
【請求項５】
請求項１に記載の搬送体清浄システムにおいて、
前記装置本体は、前記搬送体が通る間隔を空けて前記搬送体の左右に立設する複数の支持部と、各支持部に支持されて支持部間を通る搬送体の略取っ手の左右に位置する複数列のレール部とを備え、各レール部に沿って前記電解水ミストの吹出口を設けたことを特徴とする搬送体清浄システム。
【請求項６】
請求項１乃至５のいずれか一項に記載の搬送体清浄システムにおいて、
前記装置本体を、前記搬送体を利用する店舗のエントランス室に配置したことを特徴とする搬送体清浄システム。
【請求項７】
請求項１乃至５のいずれか一項に記載の搬送体清浄システムにおいて、
前記搬送体を利用する店舗のエントランス室に連なる個室を設け、この個室に前記装置本体を設置すると共に、この個室を介して前記搬送体を前記店舗外から搬送可能に構成したことを特徴とする搬送体清浄システム。
【請求項８】
請求項６又は７に記載の搬送体清浄システムにおいて、
前記エントランス室を２重扉構造で形成し、このエントランス室の店内側扉の側に空間清浄ユニットを設置し、
この空間清浄ユニットに、水を電気分解して生成された活性酸素種を含む電解水が供給される気液接触部材と、前記気液接触部材に前記エントランス室内の空気を送風して前記気液接触部材を通過した空気を上方へ送風する送風部とを設け、
前記エントランス室内に店内の空気を取り入れて、前記エントランス室の天井と前記空気清浄ユニットとの間に送風して前記空気清浄ユニットの上方にエアカーテンを形成する送風ファンを設けたことを特徴とする搬送体清浄システム。
【請求項９】
請求項５に記載の搬送体清浄システムにおいて、
前記レール部は、前記搬送体の移動ガイドを兼用していることを特徴とする搬送体清浄システム。
【発明の詳細な説明】
【技術分野】
【０００１】
本発明は、ショッピングカート等の搬送体を清浄化する技術に属し、特に、搬送体の取っ手等に付着した細菌、ウィルス、真菌等の空中浮遊微生物（以下、単に「ウィルス等」という）の除去が可能な搬送体清浄システムに関する。
【背景技術】
【０００２】
従来より、スーパーマーケット等の店舗では、この店舗で使用するショッピングカートを手作業で清掃している。また、近年では、ショッピングカートを洗浄するための機器を荷室に収容したトラックが提案されており、このトラックを店舗に呼び出すことによってショッピングカートを洗浄可能にしている。
また、この種のカートを清掃する装置には、ショッピングセンタの入口に埋め込まれる清掃装置が提案されており、この清掃装置では、カートが通る清掃マットを無端状に形成して循環し、この循環の際に、清掃マットに付着したゴミや水分を除去してカートの車輪を清掃している（特許文献１参照）。
【特許文献１】特表２００１−５２４００４号公報
【発明の開示】
【発明が解決しようとする課題】
【０００３】
ところで、ショッピングセンター等の店舗は、多数の人が出入りするため、空気中に浮遊するウィルス等が店舗内に侵入するおそれがある。
しかし、この種のウィルスがショッピングカートに付着した場合、従来の手作業で清掃する方法では、カートに付着したウィルスを確実に除去することは難しい。一方、上記トラックで洗浄する方法では、カートの移動等の作業が繁雑である。
【０００４】
そこで、本発明の目的は、カート等の搬送体を容易かつ確実に除菌可能な搬送体清浄システムを提供することにある。
【課題を解決するための手段】
【０００５】
上述した課題を解決するため、本発明は、搬送体清浄システムにおいて、取っ手を備えた搬送体の搬送エリアに装置本体を設置し、この装置本体に、水を電気分解して活性酸素種を含む電解水を生成する電解部と、前記電解水をミスト状にして電解水ミストを生成するミスト生成部と、前記搬送エリアに搬送された搬送体に対し、前記電解水ミストを少なくとも取っ手に向けて吹き出す吹出部とを設けたことを特徴とする。
この発明によれば、取っ手を備えた搬送体の搬送エリアに装置本体を設置し、この装置本体に、水を電気分解して活性酸素種を含む電解水を生成する電解部と、前記電解水をミスト状にして電解水ミストを生成するミスト生成部と、前記搬送エリアに搬送された搬送体に対し、前記電解水ミストを少なくとも取っ手に向けて吹き出す吹出部とを設けたので、カート等の搬送体を容易かつ確実に除菌することができる。
【０００６】
上記構成において、前記装置本体を、前記搬送体を通過可能なゲート型に構成し、当該ゲートを通過する前記搬送体に向けて前記電解水ミストを吹き出すことが好ましい。この構成によれば、搬送体の利用者が搬送体をゲート型の装置本体に通すように構成することによって清浄する行為を実感することができる。
【０００７】
また、上記構成において、前記装置本体は、前記ゲートを通過する搬送体の上部に位置する屋根部を備え、この屋根部の底面に、前記電解水ミストの吹出口を有することが好ましい。この構成によれば、搬送体が備える取っ手や椅子に確実に電解水ミストを吹き付けることができる。また、上記構成において、前記ゲートの入口から出口に向けて前記搬送体を搬送する自動搬送装置を設けるようにしてもよい。
【０００８】
また、上記構成において、前記装置本体は、前記搬送体が通る間隔を空けて前記搬送体の左右に立設する複数の支持部と、各支持部に支持されて支持部間を通る搬送体の略取っ手の左右に位置する複数列のレール部とを備え、各レール部に沿って前記電解水ミストの吹出口を設けることが好ましい。この構成によれば、装置本体のレール部間に搬送体を配置して除菌することができ、待機状態の搬送体を除菌することが可能である。
【０００９】
また、上記構成において、前記装置本体を、前記搬送体を利用する店舗のエントランス室に配置することが好ましい。また、上記構成において、前記搬送体を利用する店舗のエントランス室に連なる個室を設け、この個室に前記装置本体を設置すると共に、この個室を介して前記搬送体を前記店舗外から搬送可能に構成してもよい。
【００１０】
また、上記構成において、前記エントランス室を２重扉構造で形成し、このエントランス室の店内側扉の側に空間清浄ユニットを設置し、この空間清浄ユニットに、水を電気分解して生成された活性酸素種を含む電解水が供給される気液接触部材と、前記気液接触部材に前記エントランス室内の空気を送風して前記気液接触部材を通過した空気を上方へ送風する送風部とを設け、前記エントランス室内に店内の空気を取り入れて、前記エントランス室の天井と前記空気清浄ユニットとの間に送風して前記空気清浄ユニットの上方にエアカーテンを形成する送風ファンを設けることが好ましい。この構成によれば、人が通るエリアの空気を効率よく除菌することができる。また、上記構成において、上記レール部は前記搬送体の移動ガイドを兼用することが好ましい。
【発明の効果】
【００１１】
本発明は、取っ手を備えた搬送体の搬送エリアに装置本体を設置し、この装置本体に、水を電気分解して活性酸素種を含む電解水を生成する電解部と、前記電解水をミスト状にして電解水ミストを生成するミスト生成部と、前記搬送エリアに搬送された搬送体に対し、前記電解水ミストを少なくとも取っ手に向けて吹き出す吹出部とを設けたので、カート等の搬送体を容易かつ確実に除菌することができる。
【発明を実施するための最良の形態】
【００１２】
以下、図面を参照して本発明の実施形態を詳述する。
＜第１実施形態＞
図１は、本発明の第１実施形態に係る搬送体清浄システム（カート清浄システム）を示す図である。この搬送体清浄システム１は、多数の人が出入りするスーパーマーケット等の店舗の出入口エリアに設置され、このエリアにてショッピングカート等の搬送体２や空気中のウィルスを効果的に除菌して快適空間を提供するシステムである。以下、この搬送体清浄システム１を、店舗の出入口に存在する２重扉構造のエントランス室（カート等の搬送エリア）１００に配置した場合を例に説明する。
【００１３】
この搬送体清浄システム１は、エントランス室１００の店内側扉１０１及び屋外側扉１０２との間のエリアに各々配置される空気清浄ユニット１０、搬送体清浄ユニット５０、及び、店内空気をエントランス室１００内に取り入れる送風ファン（サーキュレータ）８０とを備えている。
この送風ファン８０は、店内側扉１０１の上方に取り付けられ、店内空気を室外側扉１０２側に向けて略水平に吹き出す。これによって、この送風ファン８０が、空気清浄ユニット１０の上方に略水平に延びるエアカーテンＣＡ１を形成し、このエントランス室１００内の天井側空気が人の通るエリアＭＡ０内に侵入するのを抑制することができる。なお、図１に示すように、エントランス室１００の屋外側扉１０２側の上方に、屋外の空気がエントランス室１００内に入るのを遮断するエアカーテン形成用の送風ファン８１を更に設けることによって、ウィルス、埃、花粉等の侵入をより抑制することが可能である。しかも、上述のエアカーテン形成によって店内とエントランス室１００との熱的な遮断が保たれ、店内の空調された空気が店外へ漏れにくくなる。
【００１４】
次に空気清浄ユニット１０について説明する。図２は空気清浄ユニット１０の外観を示す図であり、図３はその内部構成を示す概略図である。
この空気清浄ユニット１０は、エントランス室１００内の空気を除菌する装置であり、空気除菌機構を内蔵する箱形の装置本体１１を備えている。この装置本体１１の下部には、吸込口（不図示）が形成され、この装置本体１１の上部に吹出口１１Ｘが形成され、内蔵する送風ファンにより装置本体１１の下部の吸込口から空気を吸い込んで吹出口１１Ｘから吹き出す床置き式上方吹出タイプに構成されている。
【００１５】
このため、図１に示すように空気清浄ユニット１０を配置した場合には、上方に吹き出した空気が、エアカーテンＣＡ１の流れに沿って室外側扉１０２に向かって流れた後、下方に流れてエントランス室１００の床近辺を流れ、これにより、エアカーテンＣＡ１の下方空間、つまり、人が通るエリアＭＡ０内を循環する空気循環経路αが形成される。
なお、図２において、符号１１Ａは脚片であり、符号１１Ｂ及び１１Ｃは前パネル及び天パネルであり、符号１１Ｄは、空気清浄ユニット１０操作用の操作部を露出可能に開閉する操作蓋であり、符号２Ｅは給水タンク１２（図３参照）を取出自在に開閉する開閉蓋である。
【００１６】
空気清浄ユニット１０の装置本体１１は、図３に示すように、水道水を蓄える給水タンク１２と、この給水タンク１２の下方に配置される貯留部１３と、貯留部１３に貯留された水を吸い出す循環ポンプ１４と、循環ポンプ１４に配管接続された電解部１５と、電解部１５に配管接続された気液接触部材１６と、気液接触部材１６から滴下した水を受ける水受皿１７と、気液接触部材１６に送風する送風ファン１８とが配設され、これらによって空気除菌機構が構成されている。
【００１７】
給水タンク１２の水（水道水）は、タンク１２の給排水口に設けられたフロートバルブによって貯留部１３の水面が所定水位になるように貯留部１３に供給され、この貯留部１３に貯留された水は循環ポンプ１４を駆動することによって電解部１５に供給される。
電解部１５は、一方がカソード電極、他方がアノード電極となる対の電極（不図示）を収容する電解槽を有し、電極間に制御部（不図示）から供給される電圧が印加されることによって水を電気分解して活性酸素種を含む電解水を生成して気液接触部材１６に供給する。ここで、活性酸素種とは、通常の酸素よりも高い酸化活性を持つ酸素と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。
【００１８】
例えば、電解部１５の電極にベースがチタン（Ｔｉ）で皮膜層がイリジウム（Ｉｒ）、白金（Ｐｔ）から構成された電極板を適用し、アノード電極として外部電源から正電位が与えられることにより活性酸素種として次亜塩素酸を生成する。この次亜塩素酸は広義の活性酸素種に含まれるもので、強力な酸化作用や漂白作用を有するものである。
【００１９】
詳述すると、電極により水道水に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、
水に含まれる塩化物イオン（Ｃｌ-：水道水に予め添加されているもの）が、
２Ｃｌ-→Ｃｌ2＋２ｅ-
のように反応し、塩素（Ｃｌ2）が発生する。さらにこの塩素は水と反応し、
Ｃｌ2＋Ｈ2Ｏ→ＨＣｌＯ＋ＨＣｌ
次亜塩素酸（ＨＣｌＯ）と塩化水素（ＨＣｌ）が発生する。
【００２０】
気液接触部材１６は、気液接触部材１６の上部に渡って延在して複数の散水孔が形成されたトレー部材からなる散水ボックス２０を有し、この散水ボックス２０により電解水が各散水孔を通って気液接触部材１６の上部全体に滴下される。気液接触部材１６は、波板状のフィルタ部材と平板状のフィルタ部材とを積層して多数の開口（通風口）を形成したエレメント部とフレーム部とを備える。従って、エレメント部全体に電解水を湿潤させた状態で、送風ファン１８からの空気を通過させる際の気体接触面積を広く確保でき、目詰まりしにくい構造になっている。
【００２１】
水受皿１７は、気液接触部材１６から滴下される水を受けて貯留部１３に戻すものである。この水受皿１７と貯留部１３との間にはフィルタ部材２２が配設され、このフィルタ部材２２は、貯留部１３に流れ込む水に混入する固形物（例えばスケール）を捕集し、気液接触部材１６の目詰まりを未然に防止するものである。
このようにして、この空気清浄ユニット１０は、電解部１５で生成した電解水を気液接触部材１６に供給して電解水を湿潤した状態に保持し、この気液接触部材１６に、送風ファン１８により室内空気を供給して気液接触させる。
【００２２】
この場合、電解水、つまり、次亜塩素酸等の活性酸素種が溶解した水溶液は、ウィルス等の不活化、殺菌、有機化合物の分解等、種々の空気清浄効果を発揮するので、室内空気中に浮遊するウィルス等が不活化されると共に、当該空気に含まれる臭気物質が次亜塩素酸と反応して分解され、或いはイオン化して溶解する。従って、空気の除菌及び脱臭がなされ、清浄化された空気が室内に供給される。
この活性酸素種によるウィルス等の不活化の作用機序として、インフルエンザウィルスの例を挙げる。上述した活性酸素種は、インフルエンザの感染に必須とされるインフルエンザウィルスの表面蛋白（スパイク）を破壊、消失（除去）する作用を有する。この表面蛋白が破壊された場合、インフルエンザウィルスと、インフルエンザウィルスが感染するのに必要な受容体（レセプタ）とが結合しなくなり、感染が阻止される。このため、空気中に浮遊するインフルエンザウィルスは、気液接触部材１６において活性酸素種を含む電解水に接触することにより、いわば感染力を失うこととなり、感染が阻止される。
【００２３】
次に、搬送体清浄ユニット５０について説明する。この搬送体清浄ユニット５０は、上記空気清浄ユニット１０と同様に活性酸素種を含む電解水を用いて除菌する装置であり、特に店舗で使用される搬送体２の除菌に適した構成を有する装置である。なお、本実施形態では、搬送体２として、図１に示すように、買い物かごや商品を置くためのかご部３と取っ手４を備えたショッピングカート２Ａと、幼児を載せる椅子５と取っ手４を備えたベビー用カート２Ｂとを想定している。
【００２４】
図４は搬送体清浄ユニット５０の外観を示す図である。この搬送体清浄ユニット５０は、電解水ミスト生成機構を内蔵する装置本体５１を備え、この装置本体５１は、左右一対の支持部５２、５２と、これら支持部５２、５２の上部間に架け渡される屋根部５３とを備えたゲート型（門型）に構成されており、これらが囲む開口５４が搬送体２を通過可能な大きさに形成されている。
図５はこの搬送体清浄ユニット５０の内部構成の一例を示す図である。
本実施形態では、装置本体５１の支持部５２内に電解水ミストＭを生成する機構を内蔵すると共に支持部５２内側に吸込口５２Ａ（図４参照）を形成しており、また、装置本体５１の屋根部５３内に、電解水ミストＭを搬送体２に向けて吹き出す吹出通路５５及び吹出口（吹出部）５６を形成している。
【００２５】
詳述すると、支持部５２内には、水道水を蓄える給水タンク６２と、この給水タンク６２の下方に配置される貯留部６３と、貯留部６３に貯留された水を電気分解して活性酸素種を含む電解水を生成する電解部６５と、貯留部６３の下部に配置されて電解水ミストＭを生成するミスト生成部６６と、電解水ミストＭの通路を形成するミスト通路ケース６７と、ミスト通路ケース６７内の電解水ミストＭを屋根部５３に送風する送風ファン６８とが配設されている。
【００２６】
給水タンク６２内の水は、給排水口に設けられたフロートバルブによって貯留部６３の水面が所定水位になるように貯留部６３に供給される。
電解部６５は、一方がカソード電極、他方がアノード電極となる対の電極６５Ａ、６５Ｂを有し、各電極６５Ａ、６５Ｂ間に制御部（不図示）から供給される電圧が印加されることによって貯留部６３内の水（水道水）を電気分解して活性酸素種を含む電解水を生成する。これによって、貯留部６３内には電解水が貯留されることとなる。
ミスト生成部６６は、超音波振動子６６Ａとこの超音波振動子６６Ａを加振させる加振部（不図示）とを有し、加振部により超音波振動子６６Ａを加振させることによって電解水をミスト状にして電解水ミストを水面から上方へ送り出す。
【００２７】
ミスト通路ケース６７は、ミスト生成部６６近傍から略上方に向けて延びる筒状箱形状に形成され、より具体的には、入口６７Ａが、ミスト生成部６６の超音波振動子６６Ａの周囲を囲むように貯留部６３内の水に侵入し、その入口６７Ａから略上方へ延びた後に側方へ向けて屈曲し、この屈曲端に上方へ延びる大容量の送風室６７Ｂが一体に形成されている。
このため、ミスト生成部６６が生成した電解水ミストＭを全てミスト通路ケース６７内に送り出すことができ、また、ミスト通路ケース６７外の空間に電解水ミストＭが侵入してしまうのを確実に防止することができる。すなわち、このミスト通路ケース６７は、電解水ミストＭが電解部６５等の電気部品へ付着することを防止するミスト散乱防止部材も兼ねている。
【００２８】
このミスト通路ケース６７の送風室６７Ｂには、底部に送風ファン６８の送風口６８Ａが挿入される開口６７Ｂ１が形成され、この送風口６８Ａの上方に、送風口６８Ａを覆う断面谷型の露受け部６７Ｃが設けられ、送風室３７Ｂの上部に開口６７Ｂ２が形成されている。
このため、露受け部６７Ｃは、送風室６７Ｂ内で水滴化した水分を受けて送風ファン６８内に侵入するのを防止する水分防止部材として機能すると共に、送風ファン６８の送風を左右に分岐させてこの送風室６７Ｂ内に満たされた電解水ミストＭを効率よく上部開口６７Ｂ２から吹き出させる風向き調整部材として機能する。また、上部開口６７Ｂ２は、ダクト６９を介して屋根部５３内の吸気口５７に連設され、これによって、電解水ミストＭが屋根部５３に供給される。
【００２９】
屋根部５３は、この屋根部５３の底部に開口する吹出口５６と、屋根部５３の吸気口５７から吹出口５６に向かう吹出通路５５を形成する通路壁体７０とを備えており、この通路壁体７０によってミスト通路ケース６７から供給される電解水ミストＭを吹出口５６から吹き出す。通路壁体７０は、屋根部５３内の空間を仕切り、この通路壁体７０の外側空間に電解水ミストＭが侵入するのを防止する機能も兼ねており、この通路壁体７０の外側空間に図示せぬ操作パネルや制御部などの電気部品を配置することができる。
【００３０】
このようにして、この搬送体清浄ユニット５０では、屋根部５３の底部に形成された吹出口５６から電解水ミストＭを吹き出し可能に構成される。上述したように、この電解水ミストＭは活性酸素種を含むため、ウィルス等の不活化、殺菌、有機化合物の分解等、種々の空気清浄効果を発揮する。
本構成では、図１及び図４に示すように、搬送体清浄ユニット５０の開口５４に搬送体２を搬送させるので、搬送体２の上部に設けられる取っ手４、かご部３及び椅子５に向けて電解水ミストＭを吹き付けることができる。これにより、様々な人が触れる取っ手４や椅子５に付着したウィルスを確実に除菌することができる。また、電解水ミストＭを吹き付けた場合、この電解水ミストＭの水分量は少ないため、搬送体２がすぐに乾燥し、特別な乾燥作業が不要であるといった効果も奏する。
【００３１】
また、図５に示すように、ミスト通路ケース６７内に室内空気が送風された場合に、その室内空気に含まれるウィルス（図に符号Ｖで示す）についても除菌することができ、エントランス室１００の空気清浄が可能である。
なお、搬送体２を搬送体清浄ユニット５０の開口５４に通過させる方法は、人が行っても良いが、図１に示すように、搬送体清浄ユニット５０の下方に自動搬送装置９０を配設し、この自動搬送装置９０によって上記開口５４の入口から出口に向けて搬送体２を自動搬送させるようにしてもよい。
【００３２】
以上説明したように、本実施形態によれば、搬送体清浄ユニット５０が活性酸素種を含む電解水ミストＭを、搬送体２の取っ手４に向けて吹き出すので、搬送体２を容易かつ確実に除菌することができ、特に人が触れる取っ手４や椅子５に付着したウィルスを確実に除菌することができる。
また、この搬送体清浄ユニット５０を搬送体２を通過可能なゲート型に構成すると共に、このゲートを通過する搬送体２に向けて上方から電解水ミストＭを吹き出すので、搬送体２の取っ手４や椅子５に確実に電解水ミストＭを吹き付けることができる。このように、本構成では、店舗の利用者が搬送体２を搬送体清浄ユニット５０に通すので、清浄する行為を実感することができる。
また、本構成では、自動搬送装置９０を設けることによって搬送体２の除菌をより容易に行うことが可能である。
【００３３】
さらに、本構成では、搬送体清浄ユニット５０を店舗のエントランス室１００（搬送エリア）に配置したので、搬送体２を受け取った利用者はすぐに搬送体２の除菌を行って搬送体２を利用することができる。しかも、本構成では、エントランス室１００内に空気清浄ユニット１０を配置してエントランス室１００内の空気を除菌するので、屋外側扉１０２が空いた際に屋外から侵入したウィルス等を迅速に除菌することができ、また、店舗利用者に清浄空気が満たされた快適空間を提供することができる。
さらに、本構成では、この空気清浄ユニット１０を店内扉１０１側に設置すると共に、エントランス室１００内に店内空気を取り入れて天井と空気清浄ユニット１０との間に送風する送風ファン８０を設けたので、人が通るエリアＭＡ０内の空気だけを効率よく除菌することができる。このため、例えば、空気清浄ユニット１０や搬送体清浄ユニット５０の最大除菌能力を抑えることができ、過剰な設備投資を避けることが可能である。
【００３４】
図６（Ａ）及び図６（Ｂ）は空気清浄ユニット１０及び搬送体清浄ユニット５０の配置例を示す図である。図６（Ａ）では、店内側扉１０１の左右に空気清浄ユニット１０を配置して比較的広いエントランス室１００内の空気清浄を行い、搬送体清浄ユニット５０を、搬送体２の待機エリア２ＡＲと反対側に設置している。この場合、エントランス室１００に入る人の移動経路を矢印で示すように、搬送体２（カート）を持つ→搬送体清浄ユニット５０で清浄化する→搬送体２を受け取って店内に入る、といった一連の作業を円滑に行うことができる。なお、図中、符号７は買い物かごである。
【００３５】
また、図６（Ｂ）は、エントランス室１００の左右に屋外側扉１０２がそれぞれ存在する場合を示している。この場合、左右の屋外側扉１０２の間に、搬送体２の待機エリア２ＡＲを設置し、店内側扉１０１の左右いずれか一方側に搬送体清浄ユニット５０を設置し、エントランス室１００側から搬送体２を搬送体清浄ユニット５０に通し、店内側から搬送体２を受け取るように構成している。
この構成によれば、エントランス室１００に入る人の移動経路を矢印で示すように、搬送体２（カート）を持つ→搬送体清浄ユニット５０で清浄化する→店内に入って搬送体２を受け取る、といった一連の作業を円滑に行うことができ、しかも、店内側から搬送体２を受け取るので、エントランス室１００に搬送体２を受け取るスペースを設ける必要がなく、エントランス室１００を広く使用することができる。
【００３６】
＜第２実施形態＞
図７は第２実施形態に係る搬送体清浄システム１の搬送体清浄ユニット５０を示す図である。第２実施形態では搬送体清浄ユニット５０が、第１実施形態の搬送体清浄システム１と異なる。以下、上記第１実施形態と略同一のものは同一の符号を付して説明を省略し、異なる部分を詳細に説明する。
この搬送体清浄ユニット５０の装置本体５１は、搬送体２が通る間隔を空けて左右に立設する複数（本例では前後左右の４本）の支持部１５２、１５２、１５２、１５２と、各支持部１５２に支持されて支持部１５２間を通る搬送体２の取っ手４の左右に位置する複数列（本例では左右一対）のレール部１６０とを備えている。このレール部１６０は、搬送体２の移動ガイドとなっている。
【００３７】
支持部１５２のいずれか（本例では支持部１５２Ａ）には、電解水ミストＭを生成する機構（給水タンク６２、貯留部６３、電解部６５、ミスト生成部６６、ミスト通路ケース６７、送風ファン６８等）が内蔵され、各レール部１６０に沿って電解水ミストＭの吹出口（吹出部）１６１、１６１（図７では一方のみ図示）が形成される。
この構成では、支持部１５２Ａ内で生成された電解水ミストＭがこの支持部１５２Ａにつながるレール部１６０内に供給されると共に、床下等を介して他方の支持部１５２を通って他方のレール部１６０内に供給されて、各吹出口１６１、１６１から吹き出す。
この吹出口１６１、１６１は搬送体２の両側から取っ手４に向かって電解水ミストＭを吹き出し、これによって、レール部１６０間に配置された一又は複数の搬送体２の取っ手４を中心に除菌することができる。
【００３８】
この構成によれば、この搬送体清浄ユニット５０を、搬送体２の待機エリア２ＡＲに設置することで、待機状態の搬送体２を除菌することができる。また、レール部１６０が搬送体２の移動ガイドと電解水ミストＭの吹出部とを兼用するので、構成部品の低減、全体形状の簡素化、及び、デザインの自由度向上が可能である。
図８（Ａ）及び図８（Ｂ）は第２実施形態の搬送体清浄システム１のユニット配置例を示す図である。図８（Ａ）に示す例では、この搬送体清浄ユニット５０を、エントランス室１００に割り当てた搬送体２の待機エリア２ＡＲに設置した場合を示している。この構成によれば、エントランス室１００に入った人の移動経路を矢印で示すように、待機エリア２ＡＲから搬送体２を受け取った時点でその搬送体２は除菌済みであり、利用者は今まで通りの手順で搬送体２を受け取って店内に入ることが可能になる。なお、図８（Ａ）の例では、搬送体清浄ユニット５０のうち、左右に搬送体２が配置されるレール部１６０には、両側に吹出口１６１が形成されるものとする。
【００３９】
また、図８（Ｂ）に示す例では、エントランス室１００の店内側扉１０１の左右いずれか一方側を搬送体２の待機エリア２ＡＲとし、この待機エリア２ＡＲに搬送体清浄ユニット５０を設置し、かつ、エントランス室１００側から搬送体２を搬送体清浄ユニット５０内に返却し、店内側から搬送体２を受け取るように構成している。この構成によれば、搬送体２の先入れ後出しが可能になる。また、店舗の利用者は、エントランス室１００を通って店内に入った後に除菌済みの搬送体２を受け取ることとなり、エントランス室１００を通る人の経路が直線的になり、エントランス室１００での混雑を効果的に避けることが可能になる。
【００４０】
以上、一実施形態に基づいて本発明を説明したが、本発明は、これに限定されるものではない。例えば、図９に示すように、エントランス室に連なる個室１１０を設け、この個室１１０の屋外側扉１０２Ａを介して搬送体２を屋外から搬送可能に構成すると共に、この個室１１０内に、上述したような電解水ミストで搬送体２を除菌する搬送体清浄ユニット５０（図示略）を設置するようにしてもよい。
この図９に示す例では、エントランス室１００内の搬送体２の待機エリア２ＡＲとは別に、個室１１０内に、搬送体２を置く第１待機エリア２ＡＲ１と第２待機エリア２ＡＲ２とを設けて各エリア２ＡＲ１、２ＡＲ２を壁で仕切ると共に、各エリア２ＡＲ１、２ＡＲ２に搬送体清浄ユニット５０（図示略）を設置している。
【００４１】
この場合、図９に矢印で示すように、店舗の店員が屋外から使用済みの搬送体２や買い物かご７を個室１１０の第２待機エリア２ＡＲ２に配置し、ここで搬送体２を確実に除菌する。そして、第１待機エリア２ＡＲ１内の搬送体２が少ない場合に、第２待機エリア２ＡＲ２内の搬送体２を第１待機エリア２ＡＲ１内に移動し、店員は、エントランス室１００内の搬送体２の数に応じて、第１待機エリア２ＡＲ１内の搬送体２をエントランス室１００内に補充すればよい。
この構成によれば、エントランス室１００とは別の個室（清浄室に相当）１１０内で搬送体２の除菌を行うので、より確実な清浄効果を得ることができ、かつ、屋外からの搬送体２の回収作業と除菌作業を兼用することができる。また、この個室１１０内の様子を外部から視認可能等にすることにより、店舗利用者に清浄作業を行っていることをアピールすることが可能である。
【００４２】
また、上述の各実施形態において、搬送体清浄ユニット５０の吸込口５２Ａ及び吹出口５６、１６１の位置は上記位置に限定されず、搬送体２の取っ手４に向けて電解水ミストを吹き出し可能な範囲で変更してもよい。
【００４３】
また、活性酸素種としてオゾン（Ｏ3）や過酸化水素（Ｈ2Ｏ2）を発生させる構成としても良い。この場合、電極として白金タンタル電極を用いると、イオン種が希薄な水から、電気分解により高効率に安定して活性酸素種を生成できる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極反応により生成したＯ2-と溶液中のＨ+とが結合して、過酸化水素（Ｈ2Ｏ2）が生成される。
【００４４】
この構成では、電極に通電することにより、殺菌力の大きいオゾン（Ｏ3）や過酸化水素（Ｈ2Ｏ2）が発生し、これらオゾン（Ｏ3）や過酸化水素（Ｈ2Ｏ2）を含んだ電解水を作ることができる。この電解水中におけるオゾンもしくは過酸化水素の濃度を、対象ウィルス等を不活化させる濃度に調整し、この濃度の電解水が供給された気液接触部材１６に空気を通過させることにより、空気中に浮遊する対象ウィルス等を不活化することができる。また、臭気も気液接触部材１６を通過する際に、電解水中のオゾンまたは過酸化水素と反応し、イオン化して溶解することで、空気中から除去され、脱臭される。
【００４５】
水道水を電気分解することにより、電極上（カソード）にスケールが堆積した場合、電気伝導性が低下し、継続的な電気分解が困難となる。
この場合、電極の極性を反転（電極のプラスとマイナスを切り替える）させることが効果的である。カソード電極をアノード電極として電気分解することで、カソード電極上に堆積したスケールを取り除くことができる。この極性反転制御では、例えばタイマを利用して定期的に反転させてもよいし、運転起動の度に反転させる等、不定期的に反転させてもよい。また、電解抵抗の上昇（電解電流の低下、あるいは電解電圧の上昇）を検出し、この結果に基づいて、極性を反転させてもよい。
【００４６】
また、上記実施形態では、空気清浄ユニット１０及び搬送体清浄ユニット５０がそれぞれ給水タンク１２、６２及び電解部１５、６５等を備える構成を説明したが、これに限らず、各ユニット１０、５０で共通使用する給水タンク及び電解部等を設けてもよい。
また、上記実施形態では、出し入れ自在な給水タンク１２、６２による給水方式とする場合を説明したが、これに限らず、この給水タンク１２、６２の代わりに、例えば水道管を接続して、市水を直接導く水配管給水方式としてもよいことは云うまでもない。
【図面の簡単な説明】
【００４７】
【図１】本発明の第１実施形態に係る搬送体清浄システムを示す図である。
【図２】空気清浄ユニットの外観を示す図である。
【図３】空気清浄ユニットの内部構成を示す図である。
【図４】搬送体清浄ユニットの外観を示す図である。
【図５】搬送体清浄ユニットの内部構成の一例を示す図である。
【図６】（Ａ）、（Ｂ）は空気清浄ユニット及び搬送体清浄ユニットの配置例を各々示す図である。
【図７】本発明の第２実施形態に係る搬送体清浄システムの搬送体清浄ユニットを示す図である。
【図８】（Ａ）、（Ｂ）は空気清浄ユニット及び搬送体清浄ユニットの配置例を各々示す図である。
【図９】変形例に係る搬送体清浄システムを説明する図である。
【符号の説明】
【００４８】
１  搬送体清浄システム
２  搬送体
２Ａ  ショッピングカート
２Ｂ  ベビー用カート
３  かご部
４  取っ手
５  椅子
１０  空気清浄ユニット
１１  空気清浄ユニットの装置本体
１１Ｘ、５２Ａ、５６、１６１  吹出口（吹出部、送風部）
１２、６２  給水タンク
１３、６３  貯留部
１４  循環ポンプ
１５、６５  電解部
１６  気液接触部材
１７  水受皿
１８、６８、８０、８１  送風ファン
５０  搬送体清浄ユニット
５１  搬送体清浄ユニットの装置本体
５２、１５２、１５２Ａ  支持部
５３  屋根部
６６  ミスト生成部
６６Ａ  超音波振動子
６７  ミスト通路ケース
９０  自動搬送装置
１００  エントランス室
１０１  店内側扉
１０２、１０２Ａ  屋外側扉
１１０  個室
１６０  レール部
【図１】
2008212786.tif 000003
【図２】
2008212786.tif 000004
【図３】
2008212786.tif 000005
【図４】
2008212786.tif 000006
【図５】
2008212786.tif 000007
【図６】
2008212786.tif 000008
【図７】
2008212786.tif 000009
【図８】
2008212786.tif 000010
【図９】
2008212786.tif 000011